【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
コマンダーフラッシュ装置を連続して発光させることにより、該コマンダーフラッシュ装置からスレーブフラッシュ装置に対して該コマンダーフラッシュ装置の発光間隔時間に対応した送信データを送信して、該スレーブフラッシュ装置のフラッシュ発光制御を行うワイヤレスフラッシュシステムに用いられるコマンダーフラッシュ装置において、
前記スレーブフラッシュ装置の発光に関する制御を行うための発光制御データと、前記スレーブフラッシュ装置の発光量を決定するための発光量決定データとを前記送信データとして設定するデータ設定手段と、
前記発光制御データを構成するデジタルデータの１ビット当たりの発光間隔時間が前記発光量決定データを構成するデジタルデータの１ビット当たりの発光間隔時間よりも長くなるように、前記コマンダーフラッシュ装置の発光を制御することで、前記送信データの送信を制御するデータ送信制御手段と、
を備えることを特徴とするコマンダーフラッシュ装置。
【請求項２】
前記発光制御データは、前記スレーブフラッシュ装置の発光モードを設定する発光モードデータ及び複数の前記スレーブフラッシュ装置を識別してユーザ間の相互混信を防止するチャンネルデータのうちの少なくともいずれかを含む
ことを特徴とする請求項１に記載のコマンダーフラッシュ装置。
【請求項３】
前記データ送信制御手段は、前記発光量決定データを構成するデジタルデータと、発光量とデジタルデータの対応関係における、非発光、及び最大発光量、最小発光量に対応するデジタルデータについては、それ以外の発光量に対応するデジタルデータよりもデータ受信についての許容幅が広くなるように、前記コマンダーフラッシュ装置の発光を制御する
ことを特徴とする請求項１に記載のコマンダーフラッシュ装置。
【請求項４】
前記データ送信制御手段は、前記コマンダーフラッシュ装置の発光間隔で送信される前記発光制御データを構成するデジタルデータのビット数が、前記コマンダーフラッシュ装置の発光間隔で送信される前記発光量決定データを構成するデジタルデータのビット数よりも少なくなるように、前記コマンダーフラッシュ装置の発光を制御する
ことを特徴とする請求項１に記載のコマンダーフラッシュ装置。
【請求項５】
前記データ送信制御手段は、前記発光制御データを構成するデジタルデータに対応する発光間隔時間の最長時間が、前記発光量決定データを構成するデジタルデータに対応する発光間隔時間の最長時間よりも短くなるように、前記コマンダーフラッシュ装置の発光を制御する
ことを特徴とする請求項１に記載のコマンダーフラッシュ装置。
【請求項６】
前記データ送信制御手段は、前記発光制御データのデジタルデータに対応する発光間隔時間のオフセットと、前記発光量決定データを構成するデジタルデータに対応する発光間隔時間のオフセットとが略等しく、かつそのオフセット時間が前記送信データに対応して変化する最大変化量の中間値よりも大きくなるように、前記コマンダーフラッシュ装置の発光を制御する
ことを特徴とする請求項１に記載のコマンダーフラッシュ装置。
【請求項７】
前記データ送信制御手段は、所定の固定時間に対して前記送信データに対応した時間を加算して得られる時間をフラッシュの発光間隔時間として設定し、該設定された発光間隔時間に基づいてコマンダーフラッシュ装置の発光を制御する
ことを特徴とする請求項１に記載のコマンダーフラッシュ装置。
【請求項８】
前記コマンダーフラッシュ装置は、さらに、前記スレーブフラッシュ装置として機能することができ、
他の前記コマンダーフラッシュ装置からの前記送信データを受信する受信手段と、
前記受信された前記送信データに基づいて当該コマンダーフラッシュ装置の発光制御を行う発光制御手段と、
を備えることを特徴とする請求項１に記載のコマンダーフラッシュ装置。
【請求項９】
前記コマンダーフラッシュ装置は、さらに、
前記スレーブフラッシュ装置の発光に関する設定を行うための表示画面であって、該設定の内容を行または列で分けて表示する表示画面を備え、
前記データ送信制御手段は、前記表示画面の所定の行または列に対応する前記設定の内容に関するデータについては、前記所定の行または列以外の行または列の前記設定の内容に関するデータよりも、送信時のデジタルデータの１ビット当たりの時間が長くなるように、前記コマンダーフラッシュ装置の発光を制御する
ことを特徴とする請求項１に記載のコマンダーフラッシュ装置。
【請求項１０】
請求項１〜９のうちいずれか１項に記載のコマンダーフラッシュ装置を備えることを特徴とする撮像装置。
【請求項１１】
請求項１に記載のコマンダーフラッシュ装置からデータを受信するスレーブフラッシュ装置において、
前記受信データに基づいて当該スレーブフラッシュ装置の発光制御を行う発光制御手段
を備えることを特徴とするスレーブフラッシュ装置。
【請求項１２】
前記スレーブフラッシュ装置は、さらに、
前記コマンダーフラッシュ装置により、所定の固定時間に前記送信データに対応した時間を加算して得られる時間で表されるフラッシュの発光間隔時間に基づいて、発光されたフラッシュパルスのうち、直前のフラッシュパルスで受信したフラッシュの発光間隔時間に対応するデータから、本発光制御時に使用するデータへの変換を、次のフラッシュパルスが生じるまでの間で、前記所定の固定時間内に処理する発光データ処理手段
を備えることを特徴とする請求項１１に記載のスレーブフラッシュ装置。
【手続補正２】
【補正対象書類名】明細書
【補正対象項目名】０００８
【補正方法】変更
【補正の内容】
【０００８】
本発明にかかる、コマンダーフラッシュ装置を連続して発光させることにより、該コマンダーフラッシュ装置からスレーブフラッシュ装置に対して該コマンダーフラッシュ装置の発光間隔時間に対応した送信データを送信して、該スレーブフラッシュ装置のフラッシュ発光制御を行うワイヤレスフラッシュシステムに用いられるコマンダーフラッシュ装置は、前記スレーブフラッシュ装置の発光に関する制御を行うための発光制御データと、前記スレーブフラッシュ装置の発光量を決定するための発光量決定データとを前記送信データとして設定するデータ設定手段と、前記発光制御データを構成するデジタルデータの１ビット当たりの発光間隔時間が前記発光量決定データを構成するデジタルデータの１ビット当たりの発光間隔時間よりも長くなるように、前記コマンダーフラッシュ装置の発光を制御することで、前記送信データの送信を制御するデータ送信制御手段と、を備えることを特徴とする。
【手続補正３】
【補正対象書類名】明細書
【補正対象項目名】００１０
【補正方法】変更
【補正の内容】
【００１０】
前記コマンダーフラッシュ装置において、前記データ送信制御手段は、前記発光量決定データを構成するデジタルデータと、発光量とデジタルデータの対応関係における、非発光、及び最大発光量、最小発光量に対応するデジタルデータについては、それ以外の発光量に対応するデジタルデータよりもデータ受信についての許容幅が広くなるように、前記コマンダーフラッシュ装置の発光を制御することを特徴とする。
【手続補正４】
【補正対象書類名】明細書
【補正対象項目名】００１５
【補正方法】変更
【補正の内容】
【００１５】
前記コマンダーフラッシュ装置は、さらに、前記スレーブフラッシュ装置として機能することができ、他の前記コマンダーフラッシュ装置からの前記送信データを受信する受信手段と、前記受信された前記送信データに基づいて当該コマンダーフラッシュ装置の発光制御を行う発光制御手段と、を備えることを特徴とする。
【手続補正５】
【補正対象書類名】明細書
【補正対象項目名】００１６
【補正方法】変更
【補正の内容】
【００１６】
前記コマンダーフラッシュ装置は、さらに、前記スレーブフラッシュ装置の発光に関する設定を行うための表示画面であって、該設定の内容を行または列で分けて表示する表示画面を備え、前記データ送信制御手段は、前記表示画面の所定の行または列に対応する前記設定の内容に関するデータについては、前記所定の行または列以外の行または列の前記設定の内容に関するデータよりも、送信時のデジタルデータの１ビット当たりの時間が長くなるように、前記コマンダーフラッシュ装置の発光を制御することを特徴とする。
【手続補正６】
【補正対象書類名】明細書
【補正対象項目名】００２０
【補正方法】変更
【補正の内容】
【００２０】
本発明の実施形態における、コマンダーフラッシュ装置を連続して発光させることにより、該コマンダーフラッシュ装置からスレーブフラッシュ装置に対して該コマンダーフラッシュ装置の発光間隔時間に対応した送信データを送信して、該スレーブフラッシュ装置のフラッシュ発光制御を行うワイヤレスフラッシュシステムに用いられるコマンダーフラッシュ装置は、データ設定手段と、データ送信制御手段を備える。
【手続補正７】
【補正対象書類名】明細書
【補正対象項目名】００２２
【補正方法】変更
【補正の内容】
【００２２】
データ送信制御手段は、前記発光制御データを構成するデジタルデータの１ビット当たりの発光間隔時間が前記発光量決定データを構成するデジタルデータの１ビット当たりの発光間隔時間よりも長くなるように、前記コマンダーフラッシュ装置の発光を制御することで、前記送信データの送信を制御する。データ設定手段は、例えば本実施形態で言えば、ボディ駆動制御回路１０４のフラッシュ制御回路の制御機能に相当する。
【手続補正８】
【補正対象書類名】明細書
【補正対象項目名】００２５
【補正方法】変更
【補正の内容】
【００２５】
また、前記データ送信制御手段は、前記発光量決定データを構成するデジタルデータと、発光量とデジタルデータの対応関係における、非発光、及び最大発光量、最小発光量に対応するデジタルデータについては、それ以外の発光量に対応するデジタルデータよりもデータ受信についての許容幅が広くなるように、前記コマンダーフラッシュ装置の発光を制御する。
【手続補正９】
【補正対象書類名】明細書
【補正対象項目名】００３５
【補正方法】変更
【補正の内容】
【００３５】
前記コマンダーフラッシュ装置は、さらに、前記スレーブフラッシュ装置として機能することができ、他の前記コマンダーフラッシュ装置からの前記送信データを受信する受信手段と、前記受信された前記送信データに基づいて当該コマンダーフラッシュ装置の発光制御を行う発光制御手段と、を備える。
【手続補正１０】
【補正対象書類名】明細書
【補正対象項目名】００３６
【補正方法】変更
【補正の内容】
【００３６】
このように構成することにより、スレーブフラッシュ機能を有するコマンダーフラッシュ装置を提供することができる。
前記コマンダーフラッシュ装置は、さらに、前記スレーブフラッシュ装置の発光に関する設定を行うための表示画面であって、該設定の内容を行または列で分けて表示する表示画面を備え、前記データ送信制御手段は、前記表示画面の所定の行または列に対応する前記設定の内容に関するデータについては、前記所定の行または列以外の行または列の前記設定の内容に関するデータよりも、送信時のデジタルデータの１ビット当たりの時間が長くなるように、前記コマンダーフラッシュ装置の発光を制御する。